【事件の表示】
　平成　４年特許願第　２６２６９号「画像形成装置」拒絶査定に対する審判事件［平成　５年　８月　６日出願公開、特開平　５−１９７２２５］について、次のとおり審決する。
【結　論】
　本件審判の請求は、成り立たない。
【理　由】
１．手続の経緯・本願発明
　本願は、平成4年1月17日の出願であって、その請求項１ないし７に係る発明は、平成11年1月14日付け、平成13年1月9日付け、平成13年6月11日付け手続補正書によって補正された明細書および図面の記載からみて、その特許請求の範囲の請求項１ないし７に記載されたとおりのものであり、特に請求項１に係る発明は次のとおりのものである。以下、「本願発明１」という。
「【請求項１】　用紙に画像を形成して記録紙とする画像形成部が内部に配置される記録紙作成部と、
　前記記録紙作成部の上方に空間を介して設けられ、原稿押さえ部にて水平に固定した状態の原稿の画像を読み取ると共に、読み取った画像情報をデジタル信号に変換し前記画像形成部に供給する画像読取り部と、
　前記画像形成部の下方に設けられ、前記記録紙作成部及び画像読取り部が記録動作可能な位置に配置される状態で挿入可能に構成された用紙収容手段と、
　前記記録紙作成部と前記画像読取り部との間に、前記記録紙作成部から排出された記録紙を収容する記録紙排出部としての空間であって且つ記録紙取り出しのために前記用紙収容手段の挿入方向側に開放された空間を形成するように、前記記録紙作成部に対し前記画像読取り部を上方に持ち上げて支持する支持手段と、を備えたことを特徴とする画像形成装置。」
　
２．引用刊行物記載の発明
　これに対して、原査定の拒絶の理由に引用された引用文献１（特開平2−32371号公報）、引用文献２（特開平3−120125号公報）、引用文献３（特開平1−133462号公報）には、次のような技術事項が図面とともに記載されている。
［引用文献１］
ａ）第１図は、本発明を適用したデジタル・カラー複写機の外形図を示している。全体は２つの部分に分けることができる。第１図の上部は原稿像を読み取り、デジタル・カラー画像データを出力するカラー・イメージ・スキャナ部1（以下、スキャナ部1と略す）と、スキャナ部1に内蔵されたデジタル・カラー画像データの各種の画像処理を行うとともに、外部装置とのインターフエース等の処理機能を有するコントローラ部2より構成される。スキャナ部1は、原稿押え11の下に下向きに置かれた立体物、シート原稿を読み取る他、大判サイズのシート原稿を読み取るための機構も内蔵している。（第1頁右下欄下から3行〜第2頁左上欄第11行参照）
ｂ）第１図の下部は、コントローラ部2より出力されたカラー・デジタル画像信号を記録紙に記録するためのプリンタ部3である。本実施例において、プリンタ部3は・・・インクジェット記録方式の記録ヘッドを使用したフル・カラーのインク・ジェット・プリンタである。（第2頁左上欄末行〜右上欄第6行参照）
ｃ）第２図において、記録紙は小型定型サイズ（本実施例ではＡ４〜Ａ３サイズまで）のカット紙を収納する給紙カセット20と、大型サイズ（本実施例ではＡ２〜Ａ１サイズまで）の記録を行うためのロール紙29より供給される。（第2頁左下欄第1行〜同欄第5行参照）
ｄ）プリントされた記録紙は、排紙トレイ23に排出されプリント動作を完了する。（第3頁左上欄第13行〜同欄第14行参照）
　
［引用文献２］
ａ）まず、第１図に従いファクシミリ装置の概略構成について説明する。このファクシミリ装置は、大きく分けて給紙ユニットＡ、記録ユニットＢ、読み取りユニットＣ及びオプション給紙トレイＤの４ユニットから構成される。給紙ユニットＡは、ファクシミリ装置の本体下部に設けられ、その上方に記録ユニットＢ及び読み取りユニットＣがこの順に設けられ、記録ユニットＢの右側に相当する本体右側壁にオプション給紙トレイＤが装備される。・・・また、このファクシミリ装置が複写機として使用されるコピーモード時においても同様に記録ユニットＢに記録紙を給紙する。かかる給紙ユニットＡは、本体下部に装備され、多数の記録紙を収納する給紙カセット1と、給紙カセット1内の記録紙を一枚ずつ取り出し、記録ユニットＢに給紙する給紙ローラ2と、給紙カセット1の上方部に装備されるファクシミリ制御基板3とを備えてなる。また、給紙ユニットＡの外部にはハンドセット4と、操作表示部（図示せず）が設けられる。（第2頁右上欄第7行〜左下欄第9行参照）
ｂ）一方、記録ユニットＢには電子写真方式の作像行程を行うイメージングユニット10と、受信情報をレーザ光に変換してイメージングユニット10を構成する感光体ドラム12に露光するプリントヘッド11とが装置される。感光体ドラム12には搬送ローラ6とタイミングローラ7を介して前記記録紙が供給される。・・・感光体ドラム12に供給され、所定の作像工程によりトナー像が転写された記録紙は、感光体ドラム12から分離され、イメージングユニット10の左側部に設けられる定着ローラ8の位置に搬送され、ここでの定着工程が完了すると、排出ローラ9によりプリントヘッド11の上部に設けられる排出トレイ13上に排出される。（第2頁左下欄第12行〜右下欄第10行参照）
ｃ）プラテンローラ51の上側には原稿ＤＣの原稿画像をアナログの画像信号として読み取る密着型の読み取りセンサ50が設けられる。読み取りセンサ50により、読み取られた画像信号は２値化基板52に装置される２値化処理回路（図示せず）に入力され、明暗２値の画像データに変換され、その後、電話回線に送出される。（第3頁右上欄第4行〜同欄第10行参照）
　
　以上の記載と対応する第１図、第２図等の図面の記載を、対比のためにまとめると、
ア）給紙ユニットＡの給紙カセット1の挿入方向について発明の詳細な説明には明記されていないが、ハンドセット4すなわち電話の送受信器の位置からみて、第１図においてその反対側が給紙カセット1の挿入方向であるとみることができ、このことから記録紙の取り出しのために開放された空間の開放方向と給紙カセット1の挿入方向とは同じであるということができ、
イ）給紙カセット1の挿入可能な時期について発明の詳細な説明には明記されていないが、常識的に記録ユニットＢや読み取りユニットＣが記録動作可能な位置に配置される状態で挿入可能であるとみることができ、
ウ）記録ユニットＢと読み取りユニットＣとの間には、記録紙排出部としての空間であって、記録紙取り出しのために給紙カセット1の挿入方向側に開放された空間が、記録ユニットＢの排紙トレイと読み取りユニットＣの底部とで形成されているということができ、
　引用文献２には次のような発明が記載されている。
「用紙にトナー像を転写して記録紙とするイメージングユニット10やプリントヘッド11が内部に配置される記録ユニットＢと、
　記録ユニットＢの上方に設けられ、プラテンローラに搬送される原稿の画像を読み取ると共に、読み取った画像情報を明暗２値の画像データに変換し記録ユニットＢに供給する読み取りユニットＣと、
　記録ユニットＢの下方に設けられ、記録ユニットＢや読み取りユニットＣが記録動作可能な位置に配置される状態で挿入可能に構成された給紙カセット1と、
　記録ユニットＢと読み取りユニットＣとの間に、記録ユニットＢから排出された記録紙を収容する排出部としての空間であって且つ記録紙取り出しのために用紙カセットの挿入方向側に開放された空間を、記録ユニットＢの排紙トレイ13と読み取りユニットＣの底部とで形成したファクシミリ装置。」
　
［引用文献３］
ａ）第１図及び第２図に示す画像形成装置1は、原稿に付された画像情報の読取走査を行う読取部3を内蔵した画像読取手段（スキャナ）2と、この画像形成手段2を上面に載置する状態で支持するレーザビームを用いた画像形成手段（レーザビームプリンタ）4とを有している。前記画像形成手段2は、筐体5と、この筐体5の上面部に水平状態に配置された透明ガラス製の原稿載置板6と、この原稿載置板6の側方で、かつ、前記筐体5の内部に設けられた原稿搬送手段7と、前記原稿載置板6上に載置される原稿及び原稿搬送手段7により搬送される原稿に対しそれぞれ読取走査を行う前記読取部3と、この読取部3の筐体5内における走行領域9を形成すると共に画像形成手段2の底面側を画する分離配置の第１底板部9Ａ，第２底板部9Ｂと、前記原稿載置板6の上面を施蓋すると共に筐体5に対して開閉可能に連結され所定の傾斜角をもった開蓋状態のときその上面から前記原稿搬送手段7に原稿を挿入可能なプラテンカバー10とを具備している。（第2頁右上欄第15行〜左下欄第14行参照）
ｂ）前記画像形成手段4は、ケース22と、画像形成部17と、前記ヒートローラ15Ａ，15Ｂにより形成される定着部18と、画像形成部17に画像形成媒体としての複写紙を供給するためこの複写紙を収容した給紙カセット19と、排紙ローラ20Ａ，20Ｂと、排紙トレイ21とを具備している。（第3頁左上欄末行〜右上欄第6行参照）
　
３．対比
　本願発明１を引用文献２記載の発明と対比すると、
ア）引用文献２記載の発明の「記録ユニットＢ」、「明暗２値の画像データ」、「読み取りユニットＣ」、「給紙カセット1」、「排出トレイ13」は、それぞれ本願発明１の「記録紙作成部」、「デジタル信号」、「画像読取り部」、「用紙収容手段」、「記録紙排出部」に相当し、
イ）引用文献２記載の発明のイメージングユニット10やプリントヘッド11などは、トナー像を転写することによって記録紙に画像を形成するものであり、本願発明１の「用紙に画像を形成して記録紙とする画像形成部」に相当し、
ウ）引用文献２記載の発明の「ファクシミリ装置」は、コピーモードを有し、読み取りユニットＣで読み取った原稿の画像を記録ユニットＢで記録紙に転写して画像を形成するものであるから、本願発明１の「画像形成装置」に相当し、
　以上のことから、両者間には次のような一致点、相違点がある。
（一致点）
　用紙に画像を形成して記録紙とする画像形成部が内部に配置される記録紙作成部と、
　前記記録紙作成部の上方に設けられ、原稿の画像を読み取ると共に、読み取った画像情報をデジタル信号に変換して前記画像形成部に供給する画像読取り部と、
　前記画像形成部の下方に設けられ、前記記録紙作成部及び画像読取り部が記録動作可能な位置に配置される状態で挿入可能に構成された用紙収容手段と、
　前記記録紙作成部と前記画像読取り部との間に、前記記録紙作成部から排出された記録紙を収容する記録紙排出部としての空間であって且つ記録紙取り出しのために前記用紙収容手段の挿入方向側に開放された空間を形成した画像形成装置。
（相違点）
　本願発明１は、画像読取り部が、原稿押さえ部にて水平に固定した状態の原稿を読み取るものであって、画像読取り部を、支持手段によって記録紙作成部に対し上方に持ち上げて支持することによって、記録紙作成部の上方に空間を介して設置すると共に、用紙収容手段の挿入方向側に開放された空間を形成するのに対して、引用文献２記載の発明はプラテンローラに搬送される原稿の画像を読み取るものであって、記録ユニットＢの排紙トレイ13と読み取りユニットＣの底部とで用紙収容手段の挿入方向側に開放された空間を形成している点
　
４．当審の判断
　まず、画像読取り部が原稿押さえ部にて水平に固定した状態の原稿を読み取るものであって、記録紙排出部が画像読取り部と記録紙作成部間にある画像形成装置は、上記引用文献１や引用文献３に記載されているように公知技術であり、引用文献２記載の発明において厚手の原稿を読み取るなどの必要性から、画像読取り部を原稿押さえ部にて水平に固定した状態の原稿を読み取る構成とすることは、当業者ならば容易に考えつくことである。
　そしてそのような公知の画像読取り部の構成を引用文献２記載の発明に適用した場合、記録紙作成部の排紙トレイと画像読取り部の底部とでは記録紙排出部としての空間がとれない場合、空間を確保するために記録紙作成部に対して画像読取り部を上方に持ち上げて支持する程度のことは当業者ならばごく普通に考えつくことであり、この相違点は全体として当業者が容易に考えつくことができた構成の変更である。
　そして、本願発明１はこの相違する構成によって、引用文献１ないし３記載の発明から窺い知れないような作用効果を奏するものでもない。
　
５．むすび
　したがって、本願発明１は引用文献２、引用文献１及び引用文献３記載の発明に基づいて、当業者が容易に発明をすることができたものであり、特許法第29条第２項の規定により特許を受けることができない。
　よって、結論のとおり審決する。